(57)【要約】  アクセスポイントは、複数電力レベル伝送パターンに従って１つの搬送周波数で信号（例えば、セル再選択ビーコン）を送信する。信号は、第１の定義された期間（例えば、４ミリ秒〜７ミリ秒の間）には高電力レベルで、第２の定義された期間（例えば、５８ミリ秒〜６５ミリ秒の間）には低電力レベルで送信される。【選択図】      図１
2013530621.tif 000002
【特許請求の範囲】
【請求項１】
通信の方法において、
第１の搬送周波数でアクセスポイントから第１の信号を送信することと、
第１の定義された期間に第１の電力レベルで少なくとも１つの他の搬送周波数で前記アクセスポイントから第２の信号を送信することと、第２の定義された期間に第２の電力レベルで前記少なくとも１つの他の搬送周波数で前記アクセスポイントから前記第２の信号を送信することとを交互に行うこととを備え、
前記第１の定義された期間は４ミリ秒と７ミリ秒の間であり、
前記第２の定義された期間は５８ミリ秒と６５ミリ秒の間であり、
前記第１の電力レベルが前記第２の電力レベルより高い方法。
【請求項２】
前記第１の定義された期間は５ミリ秒である請求項１に記載の方法。
【請求項３】
前記第１の定義された期間に前記第２の定義された期間を加えると６８ミリ秒になる請求項１に記載の方法。
【請求項４】
前記第１の定義された期間は５ミリ秒であり、
前記第２の定義された期間は６３ミリ秒である請求項１に記載の方法。
【請求項５】
前記第１の信号と前記第２の信号とが広帯域符号分割多元接続信号を備える請求項１に記載の方法。
【請求項６】
前記第２の信号はビーコン信号を備える請求項１に記載の方法。
【請求項７】
前記第１の定義された期間と前記第２の定義された期間とで送信を交互に行うことが、異周波数間探索で前記アクセスポイントを発見するのにかかる名目時間と、前記第２の信号の前記送信が前記少なくとも１つの他の搬送周波数で生じさせる干渉の名目量との間に妥協点を与える請求項１に記載の方法。
【請求項８】
前記アクセスポイントは前記第１の搬送周波数によってサービスチャネル情報を送受信し、
前記少なくとも１つの他の搬送周波数がマクロセルサービスに割り当てられる請求項１に記載の方法。
【請求項９】
前記アクセスポイントはフェムトセルを備える請求項１に記載の方法。
【請求項１０】
通信のための装置において、
第１の搬送周波数で第１の信号を送信するように構成されたトランスミッタと、
第１の定義された期間に第１の電力レベルで少なくとも１つの他の搬送周波数で第２の信号を送信することと、第２の定義された期間に第２の電力レベルで前記少なくとも１つの他の搬送周波数で前記第２の信号を送信することとを交互に行わせるように構成されたコントローラとを備え、
前記第１の定義された期間は４ミリ秒と７ミリ秒の間であり、
前記第２の定義された期間は５８ミリ秒と６５ミリ秒の間であり、
前記第１の電力レベルが前記第２の電力レベルより高い装置。
【請求項１１】
前記第１の定義された期間は５ミリ秒である請求項１０に記載の装置。
【請求項１２】
前記第１の定義された期間に前記第２の定義された期間を加えると６８ミリ秒になる請求項１０に記載の装置。
【請求項１３】
前記第１の定義された期間は５ミリ秒であり、
前記第２の定義された期間は６３ミリ秒である請求項１０に記載の装置。
【請求項１４】
前記第１の信号と前記第２の信号とは広帯域符号分割多元接続信号を備える請求項１０に記載の装置。
【請求項１５】
前記第２の信号はビーコン信号を備える請求項１０に記載の装置。
【請求項１６】
前記第１の定義された期間と前記第２の定義された期間で送信を交互に行うことは、異周波数間探索で前記装置を発見するのにかかる名目時間と、前記第２の信号の前記送信が前記少なくとも１つの他の搬送周波数で生じさせる干渉の名目量との間に妥協点を与える請求項１０に記載の装置。
【請求項１７】
前記装置は前記第１の搬送周波数によってサービスチャネル情報を送受信し、
前記少なくとも１つの他の搬送周波数がマクロセルサービスに割り当てられる請求項１０に記載の装置。
【請求項１８】
前記装置はフェムトセルを備える請求項１０に記載の装置。
【請求項１９】
通信のための装置において、
第１の搬送周波数で第１の信号を送信するための手段と、
第１の定義された期間に第１の電力レベルで少なくとも１つの他の搬送周波数で第２の信号を送信することと、第２の定義された期間に第２の電力レベルで前記少なくとも１つの他の搬送周波数で前記第２の信号を送信することとを交互に行うための手段とを備え、
前記第１の定義された期間は４ミリ秒と７ミリ秒の間であり、
前記第２の定義された期間は５８ミリ秒と６５ミリ秒の間であり、
前記第１の電力レベルが前記第２の電力レベルより高い装置。
【請求項２０】
前記第１の定義された期間は５ミリ秒である請求項１９に記載の装置。
【請求項２１】
前記第１の定義された期間に前記第２の定義された期間を加えると６８ミリ秒になる請求項１９に記載の装置。
【請求項２２】
前記第１の定義された期間は５ミリ秒であり、
前記第２の定義された期間は６３ミリ秒である請求項１９に記載の装置。
【請求項２３】
コンピュータプログラム製品において、
コンピュータに、
第１の搬送周波数でアクセスポイントから第１の信号を送信させ、
第１の定義された期間に第１の電力レベルで少なくとも１つの他の搬送周波数で前記アクセスポイントから第２の信号を送信することと、第２の定義された期間に第２の電力レベルで少なくとも１つの他の搬送周波数で前記アクセスポイントから第２の信号を送信することを交互に行わせるためのコードを備えるコンピュータ可読媒体を備え、
前記第１の定義された期間は４ミリ秒と７ミリ秒の間であり、
前記第２の定義された期間は５８ミリ秒と６５ミリ秒の間であり、
前記第１の電力レベルが前記第２の電力レベルより高いコンピュータプログラム製品。
【請求項２４】
前記第１の定義された期間は５ミリ秒である請求項２３に記載のコンピュータプログラム製品。
【請求項２５】
前記第１の定義された期間に前記第２の定義された期間を加えると６８ミリ秒になる請求項２３に記載のコンピュータプログラム製品。
【請求項２６】
前記第１の定義された期間は５ミリ秒であり、
前記第２の定義された期間は６３ミリ秒である請求項２３に記載のコンピュータプログラム製品。
【発明の詳細な説明】
【優先権の主張】
【０００１】
本出願は、参照により本明細書にその開示が組み込まれる、２０１０年５月７日に出願され、代理人整理番号１０１８７７Ｐ１の、本願の権利者が所有する米国仮特許出願第６１／３３２，５５８号の優先権の利益を主張する。
【技術分野】
【０００２】
本出願は、全般的にワイヤレス通信に関し、より詳細には、それだけには限らないが、異なる電力レベルでの信号の伝送に関する。
【背景技術】
【０００３】
ワイヤレス通信ネットワークは、定義された地理的エリア全体に展開して、その地理的エリア内のユーザに様々なタイプのサービス（例えば、音声、データ、マルチメディアサービスなど）を提供でき得る。典型的な一実施態様では、あるネットワークによってサービスが提供される地理的エリア内で動作中のアクセス端末（例えば、携帯電話）にワイヤレス接続を提供するために、そのネットワーク全体に（例えば、異なるマクロセルに対応する）複数のアクセスポイントが分散される。
【０００４】
高速のマルチメディアデータサービスに対する需要が急速に高まるにつれ、高度な性能を有する効率的かつ堅牢な通信システムを実施する上で１つの問題が生じている。従来のネットワークアクセスポイント（例えば、マクロアクセスポイント）を補うために、カバレッジの小さなアクセスポイントを配置して（例えば、ユーザの自宅に備え付けて）より堅牢な屋内ワイヤレスカバレッジまたはモバイルユニット向けの他のカバレッジを提供でき得る。このようなカバレッジの小さなアクセスポイントは、例えば、フェムトセル、フェムトアクセスポイント、アクセスポイント基地局、ホームＮｏｄｅＢ、またはホームｅＮｏｄｅＢと称され得る。通常、このようなカバレッジの小さな基地局は、ＤＳＬまたはケーブルを介してインターネットおよび携帯電話運営事業者のネットワークに接続される。
【０００５】
一般に、所与の時点において、あるアクセス端末は、ネットワーク内の複数のアクセスポイントのうちの所与の１つによるサービスを受けることになる。アクセス端末がネットワーク内をローミングする際、アクセス端末は別のアクセスポイントに近づく可能性がある。ある状況下では、この場合、アクセス端末は他のアクセスポイントを再選択（reselect）でき得る（例えば、現行でそのアクセス端末にサービスを提供しているアクセスポイントから他のアクセスポイントにアイドルモードでセル再選択を実行でき得る）。例えば、あるアクセス端末がそれ自体に関連付けられたフェムトセル（例えば、ホームフェムトセル）によって提供されるサービスにアクセスできるようにするには、アクセス端末がフェムトセルのカバレッジエリアに入ったらすぐに、アクセス端末がそのアクセス端末に現行でサービスを提供しているマクロセルからそのフェムトセルを再選択することが望まれ得る。
【０００６】
したがって、アクセス端末がフェムトセルの近くにいる場合に、アクセス端末がフェムトセルを確実に発見できるようにする技術が求められている。さらに、比較的迅速かつ確実に、また、そのエリア内で運用中の他のアクセスポイントによって提供されているサービスに著しい干渉を与えずにその発見を達成することが望ましい。
【発明の概要】
【０００７】
本開示のいくつかのサンプル態様の概要は次の通りである。本概要は、読者の便宜のために提供されるものであって、本開示の範囲を完全に定義するものではない。便宜上、本明細書で使用されるいくつかの態様という用語は、本開示の単一の態様または複数の態様を示すために使用され得る。
【０００８】
本開示は、いくつかの態様では、あるアクセスポイントに伝送パターンを提供することに関する。あるアクセスポイントによる伝送が近隣のアクセスポイントによって提供されているサービスに与え得る悪影響を軽減しながら、そのアクセスポイントの近くのアクセス端末によるそのアクセスポイントの発見を容易にする方法で伝送パターンを定義するための技術が記述されている。例えば、あるフェムトセルによる伝送の結果、通常ならば発生し得る、近隣のマクロセルにアクセス中のアクセス端末での機能停止（例えば、コールドロップ）を軽減しながら、そのフェムトセルへのアクセスが許可されたアクセス端末によるそのフェムトセルへの再選択を容易にする方法でフェムトセルに対して送信電力が定義でき得る。
【０００９】
本開示は、いくつかの態様では、複数レベルの電力による伝送スキーム（multi-level power transmission scheme）に関する。例えば、アクセスポイントは、通常はある一定の電力レベルで送信でき得るが、その場合は時々（例えば、周期的に）短期間だけバースト電力レベル（すなわち、より高い電力レベル）で送信する。いくつかの態様では、この複数レベルの電力スキームが非サービスチャネルでの伝送に使用される。具体的な一例として、信号が第１の定義された期間（例えば、４ミリ秒〜７ミリ秒）には高電力レベルで送信され第２の定義された期間（例えば、５８ミリ秒〜６５ミリ秒）には低電力レベルで送信される伝送パターンに従って、フェムトセルは信号（例えば、セル再選択ビーコン）をマクロセルの周波数で送信でき得る。
【００１０】
本開示のこれらおよび他のサンプル態様は、発明を実施するための形態および添付の特許請求の範囲、ならびに添付の図面に記載される。
【図面の簡単な説明】
【００１１】
【図１】伝送パターンに従って複数レベルの伝送を提供するように構成された通信システムのいくつかのサンプル態様の簡略化したブロック図。
【図２】サンプル伝送パターンの簡略図。
【図３】伝送パターンに従って複数レベルの伝送を提供するために実行される動作のいくつかのサンプル態様のフローチャート。
【図４】サンプルの低電力カバレッジ領域と高電力カバレッジ領域の簡略図。
【図５】伝送パターンに従って複数レベルのビーコンの送信に関連して実行される動作のいくつかのサンプル態様のフローチャート。
【図６】伝送パターンに従って送信された複数レベルのビーコンの受信に関連して実行される動作のいくつかのサンプル態様のフローチャート。
【図７】通信ノードで採用され得る構成要素のいくつかのサンプル態様の簡略化したブロック図。
【図８】ワイヤレス通信システムの簡略図。
【図９】フェムトノードを含むワイヤレス通信システムの簡略図。
【図１０】ワイヤレス通信のカバレッジエリアを示す簡略図。
【図１１】通信構成要素のいくつかのサンプル態様の簡略化したブロック図。
【図１２】本明細書で教示するように複数レベルの信号を送信するように構成された装置のいくつかのサンプル態様の簡略化したブロック図。
【発明を実施するための形態】
【００１２】
慣例に従って、図面に示す様々な特徴は一定の縮尺で描かれていない場合がある。したがって、様々な特徴の寸法は、明瞭化のために任意に拡大または縮小される場合がある。さらに、一部の図面は明瞭化のために簡略化される場合がある。したがって、図面は、所与の装置（例えば、デバイス）または方法の構成要素すべてを示していない場合がある。最後に、本明細書および図面全体を通して、類似の参照番号は類似の特徴を示すために使用され得る。
【００１３】
本開示の様々な態様を以下に説明する。本明細書の教示は多様な形式で実施でき得るものであり、本明細書で開示されるいかなる特定の構造、機能、またはそれらの両方も代表例であるにすぎないことを理解されたい。本明細書の教示に基づいて、当業者には、本明細書で開示される一態様はいかなる他の態様からも独立して実施でき得ること、また、本明細書で開示される態様のうちの２つ以上の態様が様々な方法で組み合され得ることを理解されたい。例えば、ある装置またはある方法は、本明細書で述べた態様のうちのいくつの態様を使用しても実施または実行でき得る。さらに、このような装置または方法は、本明細書で述べた態様の１つまたは複数の態様に加えて、またはそれらに代えて、他の構造、機能、または他の構造および機能を使用して実施または実行でき得る。さらにまた、一態様は、特許請求の範囲の少なくとも１つの要素を備え得る。
【００１４】
図１は、サンプルの通信システム１００（例えば、通信ネットワークの一部）のいくつかのノードを示す。説明のために、本開示の様々な態様は、１つまたは複数のアクセス端末とアクセスポイントとネットワークエンティティとが相互に通信し合っているという想定で記述する。しかしながら、本明細書の教示は、他の用語を使用して示される他のタイプの装置または他の類似の装置に適用可能であり得ることを理解されたい。例えば、様々な実施態様において、アクセスポイントは、基地局、ＮｏｄｅＢ、およびｅＮｏｄｅＢなどと称することができ、または基地局、ＮｏｄｅＢ、およびｅＮｏｄｅＢなどとして実施することができ、一方、アクセス端末は、ユーザ機器（ＵＥ）および移動局などと称することができ、またはユーザ機器（ＵＥ）および移動局として実施でき得る。
【００１５】
システム１００のアクセスポイントは、システム１００のカバレッジエリア内に備え付けられ得るか、またはシステム１００のカバレッジエリア内をローミングし得る１つまたは複数のワイヤレス端末（例えば、アクセス端末１０２）に対して１つまたは複数のサービス（例えば、ネットワーク接続）へのアクセスを提供する。例えば、様々な時点で、アクセス端末１０２はシステム１００内のアクセスポイント１０４、アクセスポイント１０６、または何らかのアクセスポイント（図示せず）に接続でき得る。これらのアクセスポイントのそれぞれは、ワイドエリアネットワーク接続を容易にするために、１つまたは複数のネットワークエンティティ（便宜上、ネットワークエンティティ１０８で表される）と通信でき得る。
【００１６】
これらのネットワークエンティティは、例えば１つまたは複数の無線エンティティおよび／またはコアネットワークエンティティといった様々な形式をとり得る。したがって、様々な実施態様において、ネットワークエンティティは、ネットワーク管理（例えば、オペレーション、アドミニストレーション、マネージメント、およびプロビジョニングエンティティによる）、呼制御、セッション管理、移動管理、ゲートウェイ機能、網間接続機能、または何らかの他の適切なネットワーク機能の少なくとも１つなどの機能を表し得る。いくつかの態様では、移動管理は、トラッキングエリア、ロケーションエリア、ルーティングエリア、または何らかの他の適切な技術を使用することによってアクセス端末の現在地を追跡すること、アクセス端末に対するページングを制御すること、およびアクセス端末にアクセス制御を提供することに関する。また、これらのネットワークエンティティのうちの２つ以上は同じ場所に配置でき得、かつ／またはネットワーク全体に分散でき得る。
【００１７】
説明のために、図１の様々な態様は一定の縮尺では描かれていない。例えば、図１では低電力カバレッジと高電力カバレッジは一定の縮尺では描かれておらず、単純な楕円形で表されている。このようなカバレッジは実際にはより複雑な形状をしており、高電力カバレッジは低電力カバレッジよりも著しく広い場合があることを理解されたい。さらに、図１のエンティティ間の距離は一定の縮尺では描かれていない。
【００１８】
本明細書で使用する「搬送周波数」と「搬送波」という用語は、ネットワーク（例えば、セルラネットワーク）内のワイヤレス通信に割り当てられた（例えば、指定された名目搬送周波数に対応する）特定の周波数帯を示す。従来、搬送周波数またはチャネルは、単純に周波数と称される。例えば、フェムトセル専用の搬送周波数はフェムト周波数と称され、一方、マクロセル専用の搬送周波数はマクロ周波数と称される。
【００１９】
配置に際して、アクセスポイント１０６（例えば、フェムトセル）は、便宜上本明細書でサービスチャネルと称する特定の搬送周波数で動作するように構成される。フェムトセルの２つの典型的な配置のシナリオは、同一チャネルの配置と専用の配置である。同一チャネルの配置では、マクロセルとフェムトセルは同じ搬送周波数（例えば、搬送周波数ｆ１）で動作する。専用チャネルの配置では、フェムトセルは、マクロセルに割り当てられていない搬送周波数（例えば、搬送周波数ｆ２）で動作する。いずれの場合も、他のアクセスポイント（例えば、マクロセル）は、１つまたは複数の他の搬送周波数（例えば、搬送周波数ｆ３〜ｆ６）で動作することになる。
【００２０】
アクセスポイント１０６は、近隣で動作している他のアクセスポイントに対する干渉を軽減する一方で、複数レベルの電力スキームを採用して近くのアクセス端末でセル再選択を行わせる。このようなスキームは、ある一定の状況下で通常ならばアクセスポイント１０６に生じる発見の問題点に対処するために有利に採用される。例えば、アクセス端末１０２が、第１の搬送周波数で動作しているアクセスポイント１０４（例えば、マクロセル）に仮の場所が提供されていると想定する。アクセスポイント１０６は第２の搬送周波数で動作している。アクセスポイント１０４の信号品質が良好であるとすると、アクセス端末１０２は、近くのアクセスポイントを発見すべく（第２の搬送周波数も含めて）いかなる他の周波数をも探さない場合がある。これらの状況下では、アクセス端末１０２はアクセスポイント１０６を見つけて、そこに留まることはでき得ない。
【００２１】
その結果、アクセスポイント１０６は、別の搬送周波数で動作している近くのアクセス端末がアクセスポイント１０６を発見する可能性を高めるために、アクセスポイント１０６自体のサービスチャネル（上記の例では第２の搬送周波数）以外の各搬送周波数で信号を送信する。発見の能率の良さと他の搬送周波数に対する干渉の軽減との間に妥協点を与えるために、アクセスポイント１０６は、定義された伝送パターン１１０に従って異なる時点において異なる電力レベルにより他の搬送周波数で送信する。アクセスポイント１０６は、図１において対応する破線によって簡略化した方法で表されるような低電力カバレッジを提供するために、ある１つの電力レベルで送信する。さらに、アクセスポイント１０６は、図１において対応する破線によって簡略化した方法で表されるような高電力カバレッジを提供するために、より高い電力レベルで送信する。
【００２２】
図２は伝送パターンの一例を示す。時間が横軸に表され、送信電力が縦軸に表される。送信された信号は、異なる期間に交互に呼び出される２つの電力レベルＰhighとＰlowとに変調される。各高電力信号２０２の期間は短期間Ｔhigh２０４である（例えば、約数ミリ秒）。各低電力信号２０６の期間はより長い期間Ｔlow２０８である。高電力信号はアクセスポイント１０６の周囲に広がるより広いエリアをカバーすることを意図したものであり、一方、低電力信号はアクセスポイント１０６の近隣での保証されたアクセスポイントの発見を目的としたものである。
【００２３】
高電力信号の存在は、その高電力信号がサービスを提供しているマクロ周波数での、アクセス端末１０２から見たチャネル品質（例えば、ＣＰＩＣＨ  Ｅｃ／Ｉｏ）に強い衝撃を与える。マクロ周波数のこのような品質低下の結果、アクセス端末１０２で異周波数間がトリガされることになる。この探索を行う際に、アクセス端末１０２は、対応するサービス周波数上でアクセスポイント１０６を発見し、許可された場合は、アクセスポイント１０６に留まることになる。
【００２４】
高電力バーストの継続期間とデューティサイクルとは、他の周波数のユーザ（例えば、マクロセルのユーザ）への干渉を最低限に抑える一方で、アクセスポイントの迅速な発見を提供するように定義されている。この干渉が軽減されない場合、高電力バーストのカバレッジエリア内のマクロサービスは、不要な探索を原因として音声コールドロップと、マクロセルのダウンリンク送信電力の増加と、高速ダウンリンクパケットアクセス（ＨＳＤＰＡ）スループットの低下と、電池の寿命への悪影響とを被り得る。
【００２５】
本明細書の教示に従い、アクセスポイントの迅速な発見と、その搬送周波数のユーザに対する干渉の低減との間の適切なバランスが見つかるように特定のビーコンパターン（例えば、ＴhighおよびＴlow）が提供される。アクセスポイントの発見の点では、異なるアクセスポイントが、起動時の持続期間の点で異なるアイドルモードの実施態様を有する場合、起動時中の測定頻度と測定フィルタリング、および高電力バーストの継続期間とデューティサイクルは、異なるアクセス端末の実施態様に迅速な発見を可能にするように設計される。
【００２６】
［４，７］ミリ秒の範囲のＴhighと［６２，７２］ミリ秒の範囲のＴhigh＋Ｔlowは、広範囲に及ぶアクセスポイントで、フェムトユーザにはフェムトセルの発見の点で、また、マクロユーザへの干渉（例えば、コールドロップ、ＨＳＤＰＡスループットの低下、電池の寿命）の点で最高の結果をもたらす。Ｔhighが４ミリ秒未満の場合、場合によって発見時間は少なくとも１００％増加する。一方、７ミリ秒を超えるＴhigh値は、近くのユーザ（例えば、マクロセルと通信中のアクセス端末）の音声品質とデータスループットの著しい低下の原因となる。７２ミリ秒を超えるＴhigh＋Ｔlowは、場合によっては発見時間を少なくとも１００％増加させ、場合によっては発見が機能しなくなる。Ｔhigh＋Ｔlowが大幅に低減されない限り、６２ミリ秒未満のＴhigh＋Ｔlow値も発見時間を著しく増加させる。しかしながら、Ｔhigh＋Ｔlowが６２ミリ秒よりも著しく低い場合、ＨＳＤＰＡスループットと音声呼への悪影響は重大である。いくつかの実施態様では、５ミリ秒のＴhighと６８ミリ秒のＴhigh＋Ｔlowは、ＴhighとＴhigh＋Ｔlowの推奨範囲の中で最高の性能をもたらす。
【００２７】
次に、システム１００のサンプル動作を図３のフローチャートに関連してさらに詳細に説明する。便宜上、図３の動作（または、本明細書で検討または教示するいかなる他の動作）は、特定の構成要素（例えば、図１、図７、または図１１の構成要素）によって実行されているものとして説明する場合がある。しかしながら、これらの動作は他のタイプの構成要素によって実行でき得、また、異なる数の構成要素を使用して実行でき得ることを理解されたい。本明細書に記載の動作のうちの１つまたは複数の動作は、所与の実施態様では採用しなくてよいことも理解されたい。
【００２８】
図３のブロック３０２によって示すように、アクセスポイントは、近くのアクセス端末でセル再選択を開始するための信号の送信を制御するために使用される伝送パターンパラメータを維持管理する。サンプルの実施形態では、フェムトセルは、高電力レベルＰhighと、低電力レベルＰlowと、高電力レベルの継続期間Ｔhighと、低電力レベルの継続期間Ｔlowとを定義するパラメータを記憶する。上記のように、いくつかの実施形態では、Ｔhighパラメータは４〜７ミリ秒の範囲内に限られ、Ｔlowパラメータは５８〜６５ミリ秒の範囲内に限られる。例えば、いくつかの実施態様では、Ｔhighは５ミリ秒に設定され、かつ／またはＴhigh＋Ｔlowは６８ミリ秒に設定される。
【００２９】
場合によっては、送信された信号の他の特徴を定義するパラメータも維持管理される。例えば、送信された信号が広帯域符号分割多元接続（ＷＣＤＭＡ）のビーコン信号を備える実施態様では、信号をプライマリスクランブリングコード（ＰＳＣ）と１つまたは複数のオーバーヘッドチャネルとを含むように定義でき得る。
【００３０】
ブロック３０４によって示すように、アクセスポイントは、通常、第１の搬送周波数で送信する。例えば、フェムトセルは、指定されたサービスチャネルにサービスを提供するように構成でき得る。
【００３１】
ブロック３０６によって示すように、少なくとも１つの他の搬送周波数で動作している近くのアクセス端末の注意を引くために、アクセスポイントは伝送パターンを使用して他の搬送周波数のそれぞれで信号を送信する。したがって、アクセスポイントは、第１の定義された期間に第１の電力レベルで少なくとも１つの他の搬送周波数で信号を送信することと、第２の定義された期間に第２の電力レベルで少なくとも１つの他の搬送周波数で信号を送信することとを交互に行う。第１の電力レベルはＰhighに対応し、第２の電力レベルはＰlowに対応する。第１の定義された期間はＴhighに対応し（すなわち、４ミリ秒と７ミリ秒の間である）、第２の定義された期間はＴlowに対応する（すなわち、５８ミリ秒と６５ミリ秒の間である）。いくつかの態様では、第１の定義された期間と第２の定義された期間で送信を交互に行うことは、１）異周波数間探索がアクセスポイントを発見するのにかかる名目時間と、２）少なくとも１つの他の搬送周波数での信号の送信がその周波数（または、それらの周波数）に生じさせる干渉の名目量との間に妥協点を与える。
【００３２】
図４は、そのような複数レベルの送信が、建物の中および建物の近くに所望のカバレッジエリアを提供する方法の一例を示す。アクセスポイント４０２が、建物４０４（平面図で示す）の中の一部屋に配置される。低電力カバレッジの境界線は破線４０６で示される。したがって、低電力カバレッジは建物の１つのエリア（例えば、一部屋）に限定される。高電力カバレッジの境界線は破線４０８で示される。したがって、高電力カバレッジは建物の中および周辺のさらに広いエリアをカバーする。その結果、高電力ビーコンを使用すると、建物内のユーザがアクセスポイントを発見する可能性がさらに高まる。しかしながら、アクセスポイント４０２によってもたらされる干渉は、ほとんどの時間はさらに小さいエリア（低電力カバレッジ）に限定されることになる。
【００３３】
説明のために、本明細書の教示に従いＷＣＤＭＡビーコン信号を提供するために採用でき得るサンプル動作を、図５および６を参照して記述する。図５は、セル再選択ビーコンを送信するためのサンプルのフェムトセルによる動作を示す。
【００３４】
図５のブロック５０２によって示すように、ビーコン信号は、第１の電力レベルと第２の電力レベルで反復的に変調される。変調動作は、第１の電力レベルで第１の継続期間にわたる高電力ビーコンバーストを変調することと、第２の電力レベルで第２の継続期間にわたる低電力ビーコンバーストを変調することを伴う。上記で検討したように、第１の継続期間は４ミリ秒と７ミリ秒の間であり、第２の継続期間は５８ミリ秒と６５ミリ秒の間である。
【００３５】
ブロック５０４によって示すように、ブロック５０２で変調されたビーコン信号を備えるＷＣＤＭＡ信号がマクロ周波数で送信される。したがって、ビーコン信号は第１の継続期間に第１の電力レベルで送信され、次いで第２の継続期間に第２の電力レベルで送信され、次いで第１の継続期間に第１の電力レベルで送信される、などとなる。いくつかの実施態様では、送信されたビーコン信号は、プライマリ同期コードおよび／または１つまたは複数のオーバーヘッドチャネルを備える。
【００３６】
図６は、異周波数間探索を実行することに関するサンプルのＵＥによる動作を示す。ブロック６０２によって示すように、ある時点で、ＵＥは、ブロック５０４でフェムトセルによって送信されたビーコン信号を受信する。
【００３７】
ブロック６０４によって示すように、ＵＥでのビーコン信号の干渉により、ＵＥのサービス提供マクロセルに対する共通パイロットチャネルＥｃ／Ｉｏは、ＵＥで測定される際にドロップする。その結果、異周波数間探索がＵＥでトリガされる。
【００３８】
ブロック６０６によって示すように、探索の結果、ＵＥは、フェムトセルのサービス周波数でフェムトセルを発見する。その結果、ＵＥはフェムトセルに留まり始める。
【００３９】
図７は、本明細書で教示する送信関連の動作を実行するために（例えば、図１のアクセスポイント１０６に対応する）アクセスポイント７０２などのノードに内蔵でき得る（対応する各ブロックによって示される）いくつかのサンプルの構成要素を示す。説明する構成要素は、通信システムの他のノードに内蔵することもでき得る。例えば、システムの他のノードは、アクセスポイント７０２に関して説明した構成要素に類似した構成要素を含んで類似の機能を提供し得る。同様に、所与のノードは、説明する構成要素の１つまたは複数を含み得る。例えば、アクセスポイントは、複数の搬送波で動作し、かつ／または異なる技術によって通信することをアクセスポイントに可能にする複数のトランシーバ構成要素を含み得る。
【００４０】
図７に示すように、アクセスポイント７０２は、他のノードと通信するための（トランシーバ７０４に代表されるような）１つまたは複数のトランシーバを含む。各トランシーバ７０４は、信号（例えば、メッセージ、指示、パイロット信号、ビーコン）を送信するためのトランスミッタ７０６と信号（例えば、メッセージ、指示）を受信するためのレシーバ７０８とを含む。
【００４１】
アクセスポイント７０２は、他のノードと通信するためのネットワークインターフェース７１０（例えば、ネットワークエンティティ）も含む。例えば、ネットワークインターフェース７１０は、有線またはワイヤレスのバックホールを介して１つまたは複数のネットワークエンティティと通信するように構成でき得る。いくつかの態様では、ネットワークインターフェース７１０は、有線通信またはワイヤレス通信をサポートするように構成されたトランシーバ（例えば、トランスミッタ構成要素およびレシーバ構成要素を含む）として実施でき得る。
【００４２】
アクセスポイント７０２は、本明細書で教示するような送信関連の動作に関連して使用される他の構成要素も含む。例えば、アクセスポイント７０２は、１つまたは複数の搬送周波数での送信を管理し（例えば、交互に、第１の定義された期間に第１の電力レベルで信号を送信させ、第２の定義された期間に第２の電力レベルで信号を送信させ）、本明細書で教示するような他の関連する機能を提供するための送信コントローラ７１２を含む。いくつかの実施態様では、送信コントローラ７１２の動作は１つまたは複数のトランスミッタ７０６で実施でき得る。アクセスポイント７０２は、情報（例えば、伝送パターンパラメータ）を維持管理するためのメモリ構成要素７１４（例えば、メモリデバイスを含む）も含む。
【００４３】
図７の構成要素は様々な方法で実施でき得る。いくつかの実施態様では、図７の構成要素は、例えば１つまたは複数のプロセッサおよび／または１つまたは複数のＡＳＩＣ（１つまたは複数のプロセッサを含むことができ得る）といった１つまたは複数の回路で実施でき得る。ここで、各回路（例えば、プロセッサ）は、上記の機能を提供するために回路によって使用される情報または実行可能なコードを記憶するためのデータメモリを使用し、かつ／または内蔵でき得る。例えば、ブロック７０４によって示す機能の一部と、ブロック７１０〜７１４によって示す機能の一部またはすべては、アクセスポイントの１つまたは複数のプロセッサおよびアクセスポイントのデータメモリ（例えば、プロセッサ構成要素の適切なコードの実行によって、かつ／または適切な構成によって）実施でき得る。
【００４４】
上記のように、いくつかの態様では、本明細書の教示は、マクロスケールのカバレッジ（例えば、通常はマクロセルネットワークまたはＷＡＮと称される３Ｇネットワークなどの広域セルラネットワーク）とより小さなスケールのカバレッジ（例えば、通常はＬＡＮと称される住居ベースまたは建物ベースのネットワーク環境）とを含むネットワークで採用でき得る。このようなネットワーク内をアクセス端末（ＡＴ）が移動する際、マクロカバレッジを提供するアクセスポイントによってある一定の位置でアクセス端末はサービスを受けることができ得、一方、より小さなスケールのカバレッジを提供するアクセスポイントによって他の位置でアクセス端末はサービスを受けることができ得る。いくつかの態様では、一定量ずつの容量の増分、屋内カバレッジ、および（例えば、より堅牢なユーザエクスペリエンスのための）異なるサービスを提供するために、より小さいカバレッジのノードが使用でき得る。
【００４５】
本明細書の記述では、比較的広いエリアにカバレッジを提供するノード（例えば、アクセスポイント）をマクロアクセスポイントと称する場合があり、一方、比較的小さいエリア（例えば、住居）にカバレッジを提供するノードをフェムトアクセスポイントと称する場合がある。本明細書の教示は、他のタイプのカバレッジエリアに関連付けられたノードに適用可能であり得ることを理解されたい。例えば、ピコアクセスポイントは、マクロエリアより小さくフェムトエリアより大きいエリアにカバレッジ（例えば、商業ビル内のカバレッジ）を提供でき得る。様々な適用例では、マクロアクセスポイント、フェムトアクセスポイント、または他のアクセスポイントタイプのノードを示すために他の用語が使用でき得る。例えば、マクロアクセスポイントは、アクセスノード、基地局、アクセスポイント、ｅＮｏｄｅＢ、マクロセルなどとして構成され得るか、またはアクセスノード、基地局、アクセスポイント、ｅＮｏｄｅＢ、マクロセルなどと称され得る。同様に、フェムトアクセスポイントは、ホームＮｏｄｅＢ、ホームｅＮｏｄｅＢ、アクセスポイント基地局、フェムトセルなどとして構成され得るか、またはホームＮｏｄｅＢ、ホームｅＮｏｄｅＢ、アクセスポイント基地局、フェムトセルなどと称され得る。いくつかの実施態様では、ノードは１つまたは複数のセルまたはセクタに関連付けられ得る（例えば、セルまたはセクタと称され得るか、もしくはセルまたはセクタに分割され得る）。マクロアクセスポイント、フェムトアクセスポイント、またはピコアクセスポイントに関連付けられたセルまたはセクタは、それぞれマクロセル、フェムトセル、またはピコセルと称され得る。
【００４６】
図８は、本明細書の教示を実施でき得る、複数のユーザをサポートするように構成されたワイヤレス通信システム８００を示す。システム８００は、対応するアクセスポイント８０４（例えば、アクセスポイント８０４Ａ〜８０４Ｇ）によって各セルにサービスが提供されている例えばマクロセル８０２Ａ〜８０２Ｇなどの複数のセル８０２に通信を提供する。図８に示すように、アクセス端末８０６（例えば、アクセス端末８０６Ａ〜８０６Ｌ）は経時的にシステム全体の様々な位置に分散でき得る。各アクセス端末８０６は、例えばそのアクセス端末８０６がアクティブかどうか、そのアクセス端末８０６がソフトハンドオフに設定されているかどうかなどに応じて、所与の時点で順方向リンク（ＦＬ）および／または逆方向リンク（ＲＬ）で１つまたは複数のアクセスポイント８０４と通信でき得る。ワイヤレス通信システム８００は、広域の地理的領域全体にサービスを提供でき得る。例えば、マクロセル８０２Ａ〜８０２Ｇは、近隣の数区画または農村環境における数マイルをカバーでき得る。
【００４７】
図９は、１つまたは複数のフェムトアクセスポイントがネットワーク環境内に配置された例示の通信システム９００を示す。具体的には、システム９００は、比較的小さいスケールのネットワーク環境（例えば、１つまたは複数のユーザの住居９３０）に備え付けられた複数のフェムトアクセスポイント９１０（例えば、フェムトアクセスポイント９１０Ａおよび９１０Ｂ）を含む。各フェムトアクセスポイント９１０は、ＤＳＬルータ、ケーブルモデム、ワイヤレスリンク、または他の接続手段（図示せず）を介してワイドエリアネットワーク９４０（例えば、インターネット）と携帯電話運営事業者のコアネットワーク９５０とに結合でき得る。以下に説明するように、各フェムトアクセスポイント９１０は、関連付けられたアクセス端末９２０（例えば、アクセス端末９２０Ａ）と、任意選択で他の（例えば、ハイブリッドまたはエイリアン）アクセス端末９２０（例えば、アクセス端末９２０Ｂ）にサービスを提供するように構成でき得る。換言すれば、フェムトアクセスポイント９１０へのアクセスが制限され、それによって所与のアクセス端末９２０は一組の指定された（例えば、ホーム）フェムトアクセスポイント９１０によってサービスが提供され得るが、指定されていないフェムトアクセスポイント９１０（例えば、隣家のフェムトアクセスポイント９１０）によるサービスは提供され得ない。
【００４８】
図１０は、いくつかのトラッキングエリア１００２（またはルーティングエリア、またはロケーションエリア）が定義されており、それぞれのエリアがいくつかのマクロカバレッジエリア１００４を含むカバレッジマップ１０００の一例を示す。ここで、トラッキングエリア１００２Ａ、１００２Ｂ、および１００２Ｃに関連付けられたカバレッジのエリアは太線によって輪郭が描かれており、マクロカバレッジエリア１００４は大きなほうの六角形によって表されている。トラッキングエリア１００２は、フェムトカバレッジエリア１００６も含む。本例では、フェムトカバレッジエリア１００６（例えば、フェムトカバレッジエリア１００６Ｂおよび１００６Ｃ）はそれぞれ、１つまたは複数のマクロカバレッジエリア１００４（例えば、マクロカバレッジエリア１００４Ａおよび１００４Ｂ）内に示されている。しかしながら、フェムトカバレッジエリア１００６の一部またはすべてがマクロカバレッジエリア１００４内に有るとは限らないことを理解されたい。実際には、所与のトラッキングエリア１００２またはマクロカバレッジエリア１００４内に多数のフェムトカバレッジエリア１００６（例えば、フェムトカバレッジエリア１００６Ａおよび１００６Ｄ）を定義でき得る。同様に、所与のトラッキングエリア１００２またはマクロカバレッジエリア１００４内に１つまたは複数のピコカバレッジエリア（図示せず）を定義でき得る。
【００４９】
再び図９を参照すると、フェムトアクセスポイント９１０の所有者は、例えば携帯電話運営事業者のコアネットワーク９５０を介して提供される３Ｇモバイルサービスなどのモバイルサービスに加入でき得る。さらに、アクセス端末９２０は、マクロ環境と、さらにスケールの小さい（例えば、住居内）ネットワーク環境の両方で動作可能であり得る。換言すれば、アクセス端末９２０の現在地に応じて、アクセス端末９２０は、携帯電話運営事業者のコアネットワーク９５０に関連付けられたマクロセルのアクセスポイント９６０によって、または一組のフェムトアクセスポイント９１０（例えば、対応するユーザの住居９３０内に常駐するフェムトアクセスポイント９１０Ａおよび９１０Ｂ）のいずれか１つによってサービスが提供され得る。例えば、加入者が自宅の外にいる場合、その加入者には標準的なマクロアクセスポイント（例えば、アクセスポイント９６０）によってサービスが提供され、加入者が自宅にいる場合、その加入者にはフェムトアクセスポイント（例えば、アクセスポイント９１０Ａ）によってサービスが提供される。ここで、フェムトアクセスポイント９１０は、レガシーアクセス端末９２０に後方互換性を有しうる。
【００５０】
フェムトアクセスポイント９１０は、単一周波数に配置することができ得、あるいは別法として複数の周波数に配置でき得る。特定の構成に応じて、上記単一の周波数または複数の周波数のうちの１つまたは複数は、マクロアクセスポイント（例えば、アクセスポイント９６０）によって使用される１つまたは複数の周波数と重なり得る。
【００５１】
いくつかの態様では、アクセス端末９２０は、好ましいフェムトアクセスポイント（例えば、アクセス端末９２０のホームフェムトアクセスポイント）との接続が可能な場合はいつでも、そのフェムトアクセスポイントに接続するように構成でき得る。例えば、アクセス端末９２０Ａがユーザの住居９３０内にある際にはいつでも、アクセス端末９２０Ａはホームフェムトアクセスポイント９１０Ａまたは９１０Ｂとのみ通信することが望ましい場合がある。
【００５２】
いくつかの態様では、アクセス端末９２０がマクロセルラネットワーク９５０内で動作しているが、（例えば、好ましいローミングリストに定義されているような）最も好ましいネットワークに常駐していない場合、アクセス端末９２０は、より良好なシステムが現在使用可能かどうかを判定してさらにそのような好ましいシステムを獲得することを目的とした、使用可能なシステムの周期的なスキャニングを伴いうるベターシステム再選択（ＢＳＲ：better system reselection）プロシージャを使用して、最も好ましいネットワーク（例えば、好ましいフェムトアクセスポイント９１０）の探索を継続でき得る。アクセス端末９２０は、特定の帯域およびチャネルの探索を制限する場合がある。例えば、１つまたは複数のフェムトチャネルを定義することができ得、それによって領域内のすべてのフェムトアクセスポイント（またはすべての限定されたフェムトアクセスポイント）が１つまたは複数のフェムトチャネルで動作する。最も好ましいシステムの探索は、周期的に反復でき得る。好ましいフェムトアクセスポイント９１０を発見すると、アクセス端末９２０は、フェムトアクセスポイント９１０を選択し、そのフェムトアクセスポイント９１０のカバレッジエリア内にある時にそのフェムトアクセスポイント９１０を使用すべくそのフェムトアクセスポイント９１０に登録する。
【００５３】
いくつかの態様では、フェムトアクセスポイントへのアクセスが限定され得る。例えば、所与のフェムトアクセスポイントは、ある一定のアクセス端末に対してある一定のサービスしか提供でき得ない。いわゆる限定された（すなわち、閉鎖型）アクセスの配置において、所与のアクセス端末には、マクロセルのモバイルネットワークと、一組の定義されたフェムトアクセスポイント（例えば、対応するユーザの住居９３０内に常駐するフェムトアクセスポイント９１０）とによってのみサービスが提供され得る。いくつかの実施態様では、アクセスポイントは、少なくとも１つのノード（例えば、アクセス端末）に対して、シグナリング、データアクセス、登録、ページング、またはサービスのうちの少なくとも１つを提供しないように制限され得る。
【００５４】
いくつかの態様では、限定されたフェムトアクセスポイント（閉鎖加入者グループホームＮｏｄｅＢとも称され得る）は、一組の限定され、準備されたアクセス端末にサービスを提供するフェムトアクセスポイントである。このアクセス端末の組は、必要に応じて一時的または永続的に拡大でき得る。いくつかの態様では、閉鎖加入者グループ（ＣＳＧ）は、アクセス端末の共通アクセス制御リストを共有する一組のアクセスポイント（例えば、フェムトアクセスポイント）として定義され得る。
【００５５】
したがって、所与のフェムトアクセスポイントと所与のアクセス端末との間には様々な関係が存在し得る。例えば、アクセス端末の観点からすると、開放型フェムトアクセスポイントは、アクセスが限定されないフェムトアクセスポイントを示し得る（例えば、フェムトアクセスポイントはいかなるアクセス端末へのアクセスをも許可する）。限定されたフェムトアクセスポイントは、何らかの方法で限定された（例えば、アクセスおよび／または登録に関して限定された）フェムトアクセスポイントを示し得る。ホームフェムトアクセスポイントは、アクセス端末がアクセスしてそこで動作することが許可された（例えば、定義された一組の１つまたは複数のアクセス端末に対して永続的なアクセスが提供される）フェムトアクセスポイントを示し得る。ハイブリッド（すなわち、ゲスト）フェムトアクセスポイントは、異なるアクセス端末に異なるレベルのサービスが提供されるフェムトアクセスポイントを示し得る（例えば、いくつかのアクセス端末には部分的かつ／または一時的なアクセスが許可され得る一方、他のアクセス端末には完全なアクセスが許可され得る）。エイリアンフェムトアクセスポイントは、恐らくは緊急事態（例えば、９１１番通話）を除いて、アクセス端末がアクセスすることもそこで動作することも許可されないフェムトアクセスポイントを示し得る。
【００５６】
限定されたフェムトアクセスポイントの観点からすると、ホームアクセス端末は、そのアクセス端末の所有者の住居に備え付けられた限定されたフェムトアクセスポイントにアクセスすることが許可されたアクセス端末を示し得る（通常、ホームアクセス端末はそのフェムトアクセスポイントへの永続的なアクセス権を有する）。ゲストアクセス端末は、限定されたフェムトアクセスポイントへの一時的なアクセス権を有するアクセス端末を示し得る（例えば、最終期限、使用時間、バイト、接続回数、または他の１つまたは複数の判断基準に基づいて限られる）。エイリアンアクセス端末は、恐らくは緊急事態、例えば９１１番通話などを除いて、限定されたフェムトアクセスポイントへのアクセスが認められていないアクセス端末を示し得る（例えば、限定されたフェムトアクセスポイントに登録する資格または許可がないアクセス端末）。
【００５７】
便宜上、本明細書の開示は、フェムトアクセスポイントを想定して様々な機能を記述する。しかしながら、ピコアクセスポイントは、より大きなカバレッジエリアに対して同一または類似の機能を提供し得ることを理解されたい。例えば、ピコアクセスポイントは限定され得、ホームピコアクセスポイントは所与のアクセス端末に対して定義され得る。
【００５８】
本明細書の教示は、複数のワイヤレスアクセス端末に対する通信を同時にサポートするワイヤレス多元接続通信システム（wireless multiple-access communication system）において採用され得る。ここで、各端末は、順方向リンクと逆方向リンクでの送信によって１つまたは複数のアクセスポイントと通信でき得る。順方向リンク（すなわち、ダウンリンク）はアクセスポイントから端末への通信リンクを示し、逆方向リンク（すなわち、アップリンク）は端末からアクセスポイントへの通信リンクを示す。この通信リンクは、単一入力単一出力システム、複数入力複数出力（ＭＩＭＯ）システム、または何らかの他のタイプのシステムによって確立でき得る。
【００５９】
ＭＩＭＯシステムは、データ伝送に複数の（ＮT）送信アンテナと複数の（ＮR）受信アンテナとを採用する。ＮS≦最小値｛ＮT，ＮR｝として、ＮTの送信アンテナとＮRの受信アンテナとによって形成されたＭＩＭＯチャネルは、空間チャネルとも称されるＮSの独立チャネルに分解でき得る。ＮSの独立チャネルはそれぞれ１つの次元に対応する。複数の送信アンテナと受信アンテナによって作り出されたさらなる時限性が利用される場合、ＭＩＭＯシステムは、より高い性能（例えば、より高いスループットおよび／またはより高い信頼性）を提供でき得る。
【００６０】
ＭＩＭＯシステムは、時分割複信（ＴＤＤ）と周波数分割複信（ＦＤＤ）とをサポートでき得る。ＴＤＤシステムでは、相反原理によって逆方向リンクチャネルから順方向リンクチャネルの推定が可能となるように、順方向リンクの送信と逆方向リンクの送信は同じ周波数領域上にある。アクセスポイントで複数のアンテナが使用可能な場合、上記のことによってアクセスポイントは順方向リンクで送信ビーム形成利得を抽出することが可能となる。
【００６１】
図１１は、サンプルのＭＩＭＯシステム１１００のワイヤレスデバイス１１１０（例えば、アクセスポイント）とワイヤレスデバイス１１５０（例えば、アクセス端末）とを示す。デバイス１１１０では、複数のデータストリームのためのトラヒックデータがデータソース１１１２から送信（ＴＸ）データプロセッサ１１１４に提供される。これで、各データストリームは、それぞれの送信アンテナを介して送信され得る。
【００６２】
ＴＸデータプロセッサ１１１４は、符号化されたデータを提供するために各データストリームに対して選択された特定のコーディングスキームに基づいてそのデータストリームのためのトラヒックデータをフォーマットし、符号化し、インターリーブする。各データストリームのための符号化されたデータは、ＯＦＤＭ技術を使用してパイロットデータと多重化され得る。パイロットデータは、通常、周知の方法で処理された周知のデータパターンであり、これは、チャネル応答を推定するためにレシーバシステムで使用され得る。各データストリームのための多重化されたパイロットデータと符号化されたデータは次いで、変調シンボルを提供するために各データストリームに対して選択された特定の変調スキーム（例えば、ＢＰＳＫ、ＱＳＰＫ、Ｍ−ＰＳＫ、またはＭ−ＱＡＭ）に基づいて変調される（すなわち、シンボルマップされる）。各データストリームのデータ転送率と符号化と変調とは、プロセッサ１１３０によって実行される命令によって特定され得る。データメモリ１１３２は、プロセッサ１１３０またはデバイス１１１０の他の構成要素によって使用されるプログラムコード、データ、および他の情報を記憶でき得る。
【００６３】
すべてのデータストリームに対する変調シンボルは次いでＴＸ  ＭＩＭＯプロセッサ１１２０に提供され、ＴＸ  ＭＩＭＯプロセッサ１１２０はその変調シンボルをさらに（例えば、ＯＦＤＭ用に）処理でき得る。ＴＸ  ＭＩＭＯプロセッサ１１２０は次いで、ＮTの変調シンボルストリームをＮTのトランシーバ（ＸＣＶＲ）１１２２Ａから１１２２Ｔに提供する。いくつかの態様では、ＴＸ  ＭＩＭＯプロセッサ１１２０は、データストリームのシンボルと、シンボルの送信元であるアンテナとにビーム形成重みを適用する。
【００６４】
各トランシーバ１１２２は、それぞれのシンボルストリームを受信し、処理して１つまたは複数のアナログ信号を提供し、そのアナログ信号をさらに調節して（例えば、増幅し、フィルタリングし、アップコンバートし）ＭＩＭＯチャネルを介した送信に適した被変調信号を提供する。トランシーバ１１２２Ａから１１２２ＴのＮTの被変調信号は次いで、ＮTのアンテナ１１２４Ａから１１２４Ｔにそれぞれ送信される。
【００６５】
デバイス１１５０では、送信された被変調信号がＮRのアンテナ１１５２Ａから１１５２Ｒによって受信され、各アンテナ１１５２からの受信した信号がそれぞれのトランシーバ（ＸＣＶＲ）１１５４Ａから１１５４Ｒに提供される。各トランシーバ１１５４は、それぞれの受信した信号を調節し（例えば、フィルタリングし、増幅し、ダウンコンバートし）、調節した信号をデジタル化してサンプルを提供し、そのサンプルをさらに処理して対応する「受信した」シンボルストリームを提供する。
【００６６】
受信（ＲＸ）データプロセッサ１１６０は次いで、ＮRのトランシーバ１１５４からＮRの受信したシンボルストリームを受け取り、特定のレシーバ処理技術に基づいてこれを処理してＮTの「検出された」シンボルストリームを提供する。ＲＸデータプロセッサ１１６０は次いで、各検出されたシンボルストリームを復調し、デインタリーブし、復号して、そのデータストリームのためのトラヒックデータを回復する。ＲＸデータプロセッサ１１６０による処理は、デバイス１１１０でＴＸ  ＭＩＭＯプロセッサ１１２０とＴＸデータプロセッサ１１１４とによって実行される処理を補完する。
【００６７】
プロセッサ１１７０は、どのプリコーディング行列を使用するかを定期的に特定する（以下で検討する）。プロセッサ１１７０は、行列の指数部と階級値部とを備える逆方向リンクメッセージを公式化する。データメモリ１１７２は、プロセッサ１１７０またはデバイス１１５０の他の構成要素によって使用されるプログラムコード、データ、および他の情報を記憶でき得る。
【００６８】
逆方向リンクメッセージは、通信リンクおよび／または受信したデータストリームに関する様々なタイプの情報を備え得る。逆方向リンクメッセージは次いで、同じく複数のデータストリームのためのトラフィックデータをデータソース１１３６から受信するＴＸデータプロセッサ１１３８によって処理され、モジュレータ１１８０によって変調され、トランシーバ１１５４Ａから１１５４Ｒによって調節され、デバイス１１１０に返送される。
【００６９】
デバイス１１１０では、デバイス１１５０からの被変調信号がアンテナ１１２４によって受信され、トランシーバ１１２２によって調節され、デモジュレータ（ＤＥＭＯＤ）１１４０によって復調され、ＲＸデータプロセッサ１１４２によって処理されて、デバイス１１５０によって送信された逆方向リンクメッセージが抽出される。プロセッサ１１３０は次いで、ビーム形成重みを特定するためにどのプリコーディング行列を使用するかを特定し、次いで、抽出されたメッセージを処理する。
【００７０】
図１１はまた、通信構成要素が、本明細書で教示するような送信制御動作を実行する１つまたは複数の構成要素を含み得ることも示している。例えば、送信制御構成要素１１９０は、プロセッサ１１３０および／またはデバイス１１１０の他の構成要素と共同して、本明細書で教示するように信号を別のデバイス（例えば、デバイス１１５０）に送ることができ得る。各デバイス１１１０および１１５０に関しては、説明した構成要素のうちの２つ以上の構成要素の機能が単一の構成要素によって提供でき得ることを理解されたい。例えば、単一の処理構成要素は、送信制御構成要素１１９０とプロセッサ１１３０との機能を提供でき得る。
【００７１】
本明細書の教示は、様々なタイプの通信システムおよび／またはシステム構成要素に組み込まれ得る。いくつかの態様では、本明細書の教示は、使用可能なシステムリソースを共有することによって（例えば、帯域幅、送信電力、符号化、インターリービングなどのうちの１つまたは複数を指定することによって）複数のユーザとの通信をサポートすることができる多元接続システムで採用され得る。例えば、本明細書の教示は、符号分割多元接続（ＣＤＭＡ）システム、マルチプルキャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技術などの技術のいずれか１つまたはこれらの組み合わせに適用でき得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格などの１つまたは複数の規格を実施するように設計でき得る。ＣＤＭＡネットワークは、ユニバーサル地上無線アクセス（ＵＴＲＡ）、ｃｄｍａ２０００、または何らかの他の技術などの無線技術を実施でき得る。ＵＴＲＡは、Ｗ−ＣＤＭＡおよび低チップレート（ＬＣＲ）を含む。ｃｄｍａ２０００技術は、ＩＳ−２０００規格、ＩＳ−９５規格、およびＩＳ−８５６規格に対応する。ＴＤＭＡネットワークは、汎ヨーロッパデジタル移動通信システム（ＧＳＭ（登録商標））といった無線技術を実施でき得る。ＯＦＤＭＡネットワークは、発展型ＵＴＲＡ（Ｅ−ＵＴＲＡ）、ＩＥＥＥ  ８０２．１１、ＩＥＥＥ  ８０２．１６、ＩＥＥＥ  ８０２．２０、Ｆｌａｓｈ−ＯＦＤＭ（登録商標）などといった無線技術を実施でき得る。ＵＴＲＡ、Ｅ−ＵＴＲＡ、およびＧＳＭは、ユニバーサルモバイル通信システム（ＵＭＴＳ）の一部である。本明細書の教示は、３ＧＰＰロングタームエボリューション（ＬＴＥ）システム、ウルトラモバイルブロードバンド（ＵＭＢ）システム、および他のタイプのシステムで実施でき得る。ＬＴＥは、Ｅ−ＵＴＲＡを使用するＵＭＴＳの公開情報である。ＵＴＲＡ、Ｅ−ＵＴＲＡ、ＧＳＭ、ＵＭＴＳ、およびＬＴＥは、「第３世代パートナーシッププロジェクト」（３ＧＰＰ）という名称の団体から出された文書に記載されており、ｃｄｍａ２０００は「第３世代パートナーシッププロジェクト２」（３ＧＰＰ２）という名称の団体から出された文書に記載されている。本開示のいくつかの態様は３ＧＰＰの用語を使用して説明でき得るが、本明細書の教示は、３ＧＰＰ（例えば、Ｒｅｌ９９、Ｒｅｌ５、Ｒｅｌ６、Ｒｅｌ７）技術ならびに３ＧＰＰ２（例えば、１ｘＲＴＴ、１ｘＥＶ−ＤＯ  Ｒｅｌ０、ＲｅｖＡ、ＲｅｖＢ）技術、および他の技術に適用でき得ることを理解されたい。
【００７２】
本明細書の教示は、様々な装置（例えば、ノード）に組み込まれ得る（例えば、様々な装置内で、または様々な装置によって実施され得る）。いくつかの態様では、本明細書の教示に従って実施されるノード（例えば、ワイヤレスノード）はアクセスポイントまたはアクセス端末を備え得る。
【００７３】
例えば、アクセス端末は、ユーザ機器、加入者局、加入者ユニット、移動局、モバイル、モバイルノード、遠隔局、遠隔端末、ユーザ端末、ユーザエージェント、ユーザデバイス、または何らかの他の用語を備え得るか、またはユーザ機器、加入者局、加入者ユニット、移動局、モバイル、モバイルノード、遠隔局、遠隔端末、ユーザ端末、ユーザエージェント、ユーザデバイス、または何らかの他の用として実施され得るか、またはユーザ機器、加入者局、加入者ユニット、移動局、モバイル、モバイルノード、遠隔局、遠隔端末、ユーザ端末、ユーザエージェント、ユーザデバイス、または何らかの他の用語として周知であり得る。いくつかの実施態様では、アクセス端末は、携帯電話、コードレス電話、セッション開始プロトコル（ＳＩＰ）フォン、ワイヤレスローカルループ（ＷＬＬ）ステーション、携帯情報端末（ＰＤＡ）、ワイヤレス接続機能付きハンドヘルドデバイス、またはワイヤレスモデムに接続された何らかの他の適切な処理デバイスを備え得る。したがって、本明細書で教示する１つまたは複数の態様は、電話機（例えば、携帯電話またはスマートフォン）、コンピュータ（例えば、ラップトップ）、ポータブル通信デバイス、ポータブルコンピューティングデバイス（例えば、パーソナルデータアシスタント）、娯楽デバイス（例えば、音楽デバイス、ビデオデバイス、または衛星ラジオ）、全世界測位システムデバイス、またはワイヤレス媒体を介して通信するように構成されたいかなる他の適切なデバイスにも組み込まれ得る。
【００７４】
アクセスポイントは、ＮｏｄｅＢ、ｅＮｏｄｅＢ、無線ネットワーク制御装置（ＲＮＣ）、基地局（ＢＳ）、無線基地局（ＲＢＳ）、基地局制御装置（ＢＳＣ）、ベーストランシーバ基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の類似の用語を備え得るか、またはＮｏｄｅＢ、ｅＮｏｄｅＢ、無線ネットワーク制御装置（ＲＮＣ）、基地局（ＢＳ）、無線基地局（ＲＢＳ）、基地局制御装置（ＢＳＣ）、ベーストランシーバ基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の類似の用語として実施され得るか、またはＮｏｄｅＢ、ｅＮｏｄｅＢ、無線ネットワーク制御装置（ＲＮＣ）、基地局（ＢＳ）、無線基地局（ＲＢＳ）、基地局制御装置（ＢＳＣ）、ベーストランシーバ基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の類似の用語として周知であり得る。
【００７５】
いくつかの態様では、ノード（例えば、アクセスポイント）は、通信システムのためのアクセスノードを備え得る。このようなアクセスノードは、例えば、ネットワーク（例えば、インターネットまたはセルラネットワークなどのワイドエリアネットワーク）への有線通信リンクまたはワイヤレス通信リンクを介して、そのネットワークに接続を提供でき得るかまたはそのネットワークへの接続を提供でき得る。したがって、アクセスノードは、別のノード（例えば、アクセス端末）がネットワークまたは何らかの他の機能にアクセスすることを可能とでき得る。さらに、上記のノードの一方または双方がポータブルであるか、または場合によっては相対的にポータブルでなくてもよいことを理解されたい。
【００７６】
同様に、ワイヤレスノードは、ワイヤレスでない方法で（例えば、有線接続により）情報を送信し、かつ／または受信でき得ることを理解されたい。したがって、本明細書で検討したレシーバおよびトランスミッタは、非ワイヤレス媒体を介して通信するために適切な通信インターフェース構成要素（例えば、電子または光学インターフェース構成要素）を含み得る。
【００７７】
ワイヤレスノードは、任意の適切なワイヤレス通信技術に基づくか、またはその反対に任意の適切なワイヤレス通信技術をサポートする１つまたは複数のワイヤレス通信リンクを介して通信でき得る。例えば、いくつかの態様では、ワイヤレスノードはネットワークに関連付けでき得る。いくつかの態様では、ネットワークは、ローカルエリアネットワークまたはワイドエリアネットワークを備え得る。ワイヤレスデバイスは、本明細書で検討した様々なワイヤレス通信技術、プロトコル、または規格（例えば、ＣＤＭＡ、ＴＤＭＡ、ＯＦＤＭ、ＯＦＤＭＡ、ＷｉＭＡＸ（登録商標）、Ｗｉ−Ｆｉ（登録商標）、など）の１つまたは複数をサポートするか、またはその反対に使用でき得る。同様に、ワイヤレスノードは、様々な対応する変調スキームまたは多重化スキームの１つまたは複数をサポートするか、またはその反対にこれらを使用でき得る。したがって、ワイヤレスノードは、上記または他のワイヤレス通信技術を使用する１つまたは複数のワイヤレス通信リンクを確立し、これを介して通信するための適切な構成要素（例えば、エアインターフェース）を含み得る。例えば、ワイヤレスノードは、ワイヤレス媒体を介した通信を容易にする様々な構成要素（例えば、信号ジェネレータおよび信号プロセッサ）を含み得る関連付けられたトランスミッタおよびレシーバ構成要素を有するワイヤレストランシーバを備え得る。
【００７８】
本明細書で（例えば、添付の図面の１つまたは複数に関して）記載した機能は、いくつかの態様では、首記の特許請求の範囲で類似して指定された「手段」の機能に対応し得る。図１２を参照すると、装置１２００は、一連の相互に関係付けられた機能モジュールとして表されている。ここで、第１の搬送周波数で信号を送信するためのモジュール１２０２は、少なくともいくつかの態様では、例えば本明細書で検討したトランスミッタに対応し得る。伝送パターンパラメータを維持管理するためのモジュール１２０４は、少なくともいくつかの態様では、例えば本明細書で検討したメモリ構成要素に対応し得る。第１の定義された期間に第１の電力レベルで少なくとも１つの他の搬送周波数で送信することと、第２の定義された期間に第２の電力レベルで少なくとも１つの他の搬送周波数で送信することとを交互に行うためのモジュール１２０６は、少なくともいくつかの態様では、例えば本明細書で検討したトランスミッタおよび／またはコントローラに対応し得る。
【００７９】
図１２のモジュールの機能は、本明細書の教示に一致する様々な方法で実施でき得る。いくつかの態様では、これらのモジュールの機能は、１つまたは複数の電子構成要素として実施でき得る。いくつかの態様では、これらのブロックの機能は、１つまたは複数のプロセッサ構成要素を含む処理システムとして実施でき得る。いくつかの態様では、これらのモジュールの機能は、例えば１つまたは複数の集積回路（例えば、ＡＳＩＣ）の少なくとも一部を使用して実施でき得る。本明細書で検討したように、集積回路は、プロセッサ、ソフトウェア、他の関連する構成要素、またはこれらの組み合わせを含み得る。これらのモジュールの機能は、本明細書で教示した何らかの他の方法でも実施でき得る。いくつかの態様では、図１２のいかなる略書したブロックの１つまたは複数も任意選択である。
【００８０】
「第１の」、「第２の」などの呼称を用いた本明細書の要素へのいかなる言及も、一般的にそれら要素の品質または順序を限定するものではないことを理解されたい。むしろ、それらの呼称は、本明細書において、２つ以上の要素または１つの要素の複数のインスタンスを互いに区別する便宜的な方法として使用され得る。したがって、第１の要素および第２の要素への言及は、そこで２つの要素しか採用され得ないこと、または第１の要素が何らかの方法で第２の要素に先行しなければならないことを意味するものではない。同様に、別途記載しない限り、一組の要素は１つまたは複数の要素を備え得る。さらに、詳細な説明または特許請求の範囲で使用される「Ａ、Ｂ、またはＣの少なくとも１つ」または「Ａ、Ｂ、またはＣの１つまたは複数」または「Ａ、Ｂ、およびＣから成る群の少なくとも１つ」という形式の用語法は、「ＡまたはＢまたはＣまたはそれら要素のいかなる組み合わせ」を意味する。
【００８１】
当業者には、情報および信号は、様々な異なるテクノロジーおよびテクニックのいずれかを使用して表現され得ることが理解されよう。例えば、上記の説明を通して参照され得るデータ、命令、コマンド、情報、信号、ビット、シンボル、およびチップは、電圧、電流、電磁波、磁界すなわち磁性粒子、光学場すなわち光学粒子、またはこれらの任意の組み合わせによって表現され得る。
【００８２】
当業者には、本明細書で開示した態様に関連して記載した様々な説明のための論理ブロック、モジュール、プロセッサ、手段、回路、およびアルゴリズムステップのいずれも、電子ハードウェア（例えば、ソースコーディングまたは何らかの他の技術を使用して設計され得るデジタル実施態様、アナログ実施態様、またはこれら２つの組み合わせ）、命令を組み込んだ様々な形式のプログラムまたは設計コード（本明細書では便宜上「ソフトウェア」または「ソフトウェアモジュール」と称され得る）、あるいは両方の組み合わせとして実施でき得ることをさらに理解されよう。ハードウェアとソフトウェアのこの互換性を明瞭に説明するために、説明のための様々な構成要素、ブロック、モジュール、回路、およびステップをそれらの機能に関して全般的に上記で説明した。このような機能がハードウェアとして実施されるかソフトウェアとして実施されるかは、特定の適用例とシステム全体に課された設計上の制約とにより異なる。当業者は、上記の機能を特定の適応例ごとに様々な方法で実施し得るが、そのような実施の決定が本開示の範囲を逸脱する原因として理解されるべきではない。
【００８３】
本明細書で開示した態様に関連して記載した説明のための様々な論理ブロック、モジュール、および回路は、集積回路（ＩＣ）、アクセス端末、またはアクセスポイント内で実施でき得、または集積回路（ＩＣ）、アクセス端末、またはアクセスポイントによって実行でき得る。ＩＣは、汎用プロセッサ、デジタル信号プロセッサ（ＤＳＰ）、特定用途向け集積回路（ＡＳＩＣ）、利用者書き込み可能ゲート配列（ＦＰＧＡ）、または他のプログラム可能な論理デバイス、ディスクリートゲートすなわちトランジスタ論理回路、ディスクリートハードウェアコンポーネント、電子構成要素、光学構成要素、機械部品、または本明細書に記載の機能を実行するように設計されたこれらの任意の組み合わせを備え得、また、ＩＣ内、ＩＣ外、またはその両方に常駐するコードまたは命令を実行し得る。汎用プロセッサはマイクロプロセッサであってよいが、代替形態としてプロセッサは、いかなる従来のプロセッサ、コントローラ、マイクロコントローラ、または状態機械であってもよい。プロセッサは、計算機器の組み合わせ、例えば、ＤＳＰおよびマイクロプロセッサ、複数のマイクロプロセッサ、ＤＳＰコアと連係する１つまたは複数のマイクロプロセッサ、またはいかなる他のこのような構成の組み合わせとして実施することもできる。
【００８４】
いかなる開示されたプロセスのステップのいかなる特定の順序または階層も、サンプルのアプローチの一例であることが理解されよう。設計上の都合に基づいて、プロセスのステップの特定の順序または階層は、本開示の範囲を逸脱せずに再構成でき得ることが理解されよう。これに伴う方法は、サンプルの順序による様々なステップの本要素を主張するが、提示された具体的な順序または階層に限定されることを意図するものではない。
【００８５】
１つまたは複数の例示の実施形態では、説明した機能は、ハードウェア、ソフトウェア、ファームウエア、またはそれらのいくつかの組み合わせによって実施でき得る。ソフトウェアとして実施された場合、これらの機能は、１つまたは複数の命令またはコードとしてコンピュータ可読媒体に記憶することができるか、またはコンピュータ可読媒体を介して送信することができる。コンピュータ可読媒体は、１つの場所から別の場所にコンピュータプログラムを移動することを容易にするいかなる媒体をも含むコンピュータ記憶媒体と通信媒体の両方を含む。記憶媒体は、コンピュータによってアクセスすることのできるいかなる使用可能な媒体であってもよい。例示としてであって限定ではないが、このようなコンピュータ可読媒体は、ＲＡＭ、ＲＯＭ、ＥＥＰＲＯＭ、ＣＤ−ＲＯＭ、または他の光ディスクストレージ、磁気ディスクストレージ、または他の磁気ストレージデバイス、あるいは所望のプログラムコードを命令またはデータ構造の形式で担持または記憶するために使用することができ、コンピュータによってアクセスすることができる任意の他の媒体を備えることができる。同様に、いかなる接続も適切にコンピュータ可読媒体と称される。例えば、ソフトウェアが同軸ケーブル、光ファイバーケーブル、より対線、デジタル加入者回線（ＤＳＬ）、または赤外線、無線、およびマイクロ波といったワイヤレス技術を使用してウェブサイト、サーバ、または他の遠隔の送信元から送信される場合、その同軸ケーブル、光ファイバーケーブル、より対線、ＤＳＬ、または赤外線、無線、およびマイクロ波といったワイヤレス技術は、媒体の定義に含まれる。本明細書で使用されるディスク（ｄｉｓｋ）およびディスク（ｄｉｓｃ）は、通常はディスク（ｄｉｓｋ）が磁気的にデータを再生し、一方、ディスク（ｄｉｓｃ）がレーザによって光学的にデータを再生する場合に、コンパクトディスク（ＣＤ）、レーザディスク、光ディスク、デジタル多用途ディスク（ＤＶＤ）、フロッピー（登録商標）ディスク、およびブルーレイ（登録商標）ディスクを含む。したがって、いくつかの態様では、コンピュータ可読媒体は一時的でないコンピュータ可読媒体（例えば、有形媒体）を備え得る。さらに、いくつかの態様では、コンピュータ可読媒体は、一時的なコンピュータ可読媒体（例えば、信号）を備え得る。上記の組み合わせも、コンピュータ可読媒体の範囲に含まれるべきである。コンピュータ可読媒体は、任意の適切なコンピュータプログラム製品によって実施でき得ることを理解されたい。
【００８６】
開示された態様の以上の説明は、当業者が本開示を実施または利用できるように提供されたものである。これらの態様に対する様々な変形形態は当業者に容易に明らかになろう。本明細書で定義した一般的な原理は、本開示の範囲を逸脱せずに他の態様に適用でき得る。したがって、本開示は、本明細書に示す態様に限定されることは意図されず、本明細書で開示した原理および新規の特徴と一致する最大の範囲に一致するものである。
【図１】
2013530621.tif 000003
【図２】
2013530621.tif 000004
【図３】
2013530621.tif 000005
【図４】
2013530621.tif 000006
【図５】
2013530621.tif 000007
【図６】
2013530621.tif 000008
【図７】
2013530621.tif 000009
【図８】
2013530621.tif 000010
【図９】
2013530621.tif 000011
【図１０】
2013530621.tif 000012
【図１１】
2013530621.tif 000013
【図１２】
2013530621.tif 000014
【国際調査報告】
2013530621.tif 000015
2013530621.tif 000016